(57)【要約】【課題】設置場所ごとに表示板が見やすい向きに表示板の向きを調整することができる構造を備えた表示装置を提供する。【解決手段】  設置面Ｇに立設された支柱１に表示板６が取付けられた表示装置Ｐにおいて、前記支柱１の上部に受け板部１４を設けるとともに、前記受け板部１４に受け部１５を立設し、当該受け部１５に、表示板６の基部に形成された筒状の取付部６１を外嵌して、前記受け部１５に対して表示板６を回動可能となるようにする。【選択図】        図２
2015022121.tif 000002
【特許請求の範囲】
【請求項１】
設置面に立設された支柱に表示板が取付けられた表示装置であって、前記支柱の上部に受け板部が設けられるとともに、前記受け板部に立設された受け部に、表示板の基部に形成された筒状の取付部が回動可能に外嵌されたことを特徴とする表示装置。
【請求項２】
前記受け板部の上方に固定板部が設けられて、前記受け板部と固定板部の間に前記取付部が挟着されるようになされていることを特徴とする請求項１に記載の表示装置。
【請求項３】
前記表示板に加えて、支柱に照明部が取付られるとともに、前記支柱の上部にソーラーパネルが設けられ、ソーラーパネルにより発生した電力を蓄電池に蓄電して前記蓄電池より前記照明部に電力を供給するようになされた請求項１〜２のいずれか１項に記載の表示装置であって、前記ソーラーパネルは、その背面側に配置された支持部に支持され、前記支持部は、下部に設けられた筒状の脚部が、表示板の前記取付部を間にして、前記支柱の上部の受け板部に立設された受け部に回動可能に嵌め合わされるとともに、前記脚部の下部に設けられた固定板部に形成された固定板部側固定孔と、前記固定板部側固定孔に対応して受け板部に形成された受け板部側固定孔とに、挿入可能な固定具を介して、前記固定板部と受け板部とが表示板の前記取付部を間にして固定されるようになされていることを特徴とする表示装置。
【請求項４】
前記脚部の固定板部に形成された前記固定板部側固定孔は、同心円状に形成された複数の円弧状の長孔を備え、支柱の受け板部に設けられた前記受け板部側固定孔は、前記固定板部側固定孔に連通可能な複数の円弧状の長孔を備えたことを特徴とする請求項３に記載の表示装置。
【請求項５】
前記ソーラーパネルが支持される支持部に、蓄電池が収納される蓄電池収納部が形成されていることを特徴とする請求項３又は４に記載の表示装置。
【請求項６】
前記表示板は、基部に形成された筒状の取付部が形成された横長の第一の枠部と、取付部が形成されていない横長の第二の枠部との間に、表示板本体の上部が挟持されて形成されたものであることを特徴とする請求項１〜６のいずれか１項に記載の表示装置。
【発明の詳細な説明】
【技術分野】
【０００１】
本発明は、設置面に立設された支柱に、災害時に有用な避難方向などが表示された表示板が取付けられた表示装置に関するものである。
【背景技術】
【０００２】
設置面に立設された支柱に表示板が取付けられた表示装置としては、従来より様々なものが提案されている。
例えば特許文献１には、支柱１の上端に太陽電池ユニット２が配設され、支柱１の上部の一側部には風力発電ユニット３が配設されるとともに、支柱１の上部の他側部には表示ユニット５が配設された表示装置が開示されている。（特許文献１）
そして、前記表示ユニット５には、透明アクリル板５１に、避難誘導マーク５２と、避難場所の方向を指し示す矢印マーク５３とが文字や図形のパターンとして表示されており、夜間には、前記透明アクリル板５１の側端に配設された光源５５からの光によって、前記マークが浮かび上がるように形成されている。
【先行技術文献】
【特許文献】
【０００３】
【特許文献２】特開２００８−１４０６００号公報
【発明の開示】
【発明が解決しようとする課題】
【０００４】
しかしながら、上記従来の表示装置においては、支柱の上部の予め決められた側の部位に、表示ユニットが限定的に配設されるようになされているので、前記表示装置が設置される場所において、表示ユニットを見る人にとって見やすい向きに表示ユニットの向きを調整することができず、設置場所によっては表示装置の機能を果たすことができないケースも起こり得る可能性があるものであった。
【０００５】
本発明は、設置場所ごとに表示板が見やすい向きに表示板の向きを調整することができる構造を備えた表示装置を提供せんとするものである。
【課題を解決するための手段】
【０００６】
上記目的を達成するために、本発明は次のような構成としている。
すなわち、本発明に係る表示装置は、設置面に立設された支柱に表示板が取付けられた表示装置であって、前記支柱の上部に受け板部が設けられるとともに、前記受け板部に立設された受け部に、表示板の基部に形成された筒状の取付部が回動可能に外嵌されたことを特徴とするものである。
【０００７】
また本発明に係る表示装置は、前記受け板部の上方に固定板部が設けられて、前記受け板部と固定板部の間に前記取付部が挟着されるようになされていてもよい。
【０００８】
また本発明に係る表示装置は、前記表示板に加えて、支柱に照明部が取付られるとともに、前記支柱の上部にソーラーパネルが設けられ、ソーラーパネルにより発生した電力を蓄電池に蓄電して前記蓄電池より前記照明部に電力を供給するようになされた表示装置であって、前記ソーラーパネルは、その背面側に配置された支持部に支持され、前記支持部は、下部に設けられた筒状の脚部が、表示板の前記取付部を間にして、前記支柱の上部の受け板部に立設された受け部に回動可能に嵌め合わされるとともに、前記脚部の下部に設けられた固定板部に形成された固定板部側固定孔と、前記固定板部側固定孔に対応して受け板部に形成された受け板部側固定孔とに、挿入可能な固定具を介して、前記固定板部と受け板部とが表示板の前記取付部を間にして固定されるようになされていてもよい。
【０００９】
また本発明に係る表示装置は、前記脚部の固定板部に形成された前記固定板部側固定孔は、同心円状に形成された複数の円弧状の長孔を備え、支柱の受け板部に設けられた前記受け板部側固定孔は、前記固定板部側固定孔に連通可能な複数の円弧状の長孔を備えるようにしてもよい。
【００１０】
また本発明に係る表示装置は、前記ソーラーパネルが支持される支持部に、蓄電池が収納される蓄電池収納部が形成されるようにしてもよい。
【００１１】
また本発明に係る表示装置は、前記表示板は、基部に形成された筒状の取付部が形成された横長の第一の枠部と、取付部が形成されていない横長の第二の枠部との間に、表示板本体の上部が挟持されて形成されるようにしてもよい。
【発明の効果】
【００１２】
本発明に係る表示装置によれば、前記支柱の上部に受け板部が設けられるとともに、前記受け板部に立設された受け部に、表示板の基部に形成された筒状の取付部を回動可能に外嵌しているので、表示板の筒状の取付部を回動させて、表示装置を設置場所ごとに表示板が見やすい向きに表示板の向きを調整することができ、またその調整作業の際においては、受け部に筒状の取付部を外嵌しているため、表示板が脱落することがない。
【００１３】
また本発明に係る表示装置によれば、前記受け板部の上方に固定板部を設け、前記受け板部と固定板部の間に前記取付部を挟着するようにしているので、表示板の筒状の取付部を回動させて表示板の向きを調整した後、取付部を受け板部と固定板部とで挟着するだけで取付部を固定することができ、表示装置を効率的に設置することができる。
【００１４】
また本発明に係る表示装置によれば、前記ソーラーパネルは、その背面側に配置された支持部に支持され、前記支持部は、下部に設けられた筒状の脚部が、表示板の前記取付部を間にして、前記支柱の上部の受け板部に立設された受け部に回動可能に嵌め合わされるとともに、前記脚部の下部に設けられた固定板部に形成された固定板部側固定孔と、前記固定板部側固定孔に対応して受け板部に形成された受け板部側固定孔とに、挿入可能な固定具を介して、前記固定板部と受け板部とが表示板の前記取付部を間にして固定されるようにしているので、ソーラーパネルの向きと表示板の向きをそれぞれ自在に調整することができる。
【００１５】
また本発明に係る表示装置によれば、前記脚部の固定板部に形成された前記固定板部側固定孔は、同心円状に形成された複数の円弧状の長孔を備え、支柱の受け板部に設けられた前記受け板部側固定孔は、前記固定板部側固定孔に連通可能な複数の円弧状の長孔を備えているので、前記受け部を軸として、前記表示板の取付部及び脚部の上方に取付けられているソーラーパネルの向きを円周方向に調整することができる。
【００１６】
また本発明に係る表示装置によれば、前記ソーラーパネルが支持される支持部に、蓄電池が収納される蓄電池収納部が形成されているので、ソーラーパネルを支柱の上部に取付けさえすれば、蓄電池収納部も取付けられ、表示装置を効率よく設置することができる。
【００１７】
また本発明に係る表示装置によれば、前記表示板は、基部に形成された筒状の取付部が形成された横長の第一の枠部と、取付部が形成されていない横長の第二の枠部との間に、表示板本体の上部が挟持されて形成されているので、表示板本体の表裏を枠部により強固に固定することができるとともに、取付部を複雑な構造にすることなく形成することができる。
【図面の簡単な説明】
【００１８】
【図１】本発明に係る表示装置の実施の一形態を示す正面図である。
【図２】図１の上部の拡大の、（イ）は側面図、（ロ）は背面図である。
【図３】図２（イ）の要部の縦断面図である。
【図４】本発明に係る表示装置の支持部の脚部を示す、（イ）は正面図、（ロ）は平面図である。
【図５】本発明に係る表示装置の受け板部を示す、（イ）は正面図、（ロ）は平面図である。
【図６】本発明に係る表示装置の表示板を示す、（イ）は正面図、（ロ）は平面図、（ハ）は底面図、（ニ）は左側面図、（ホ）は右側面図である。
【発明を実施するための形態】
【００１９】
次に、本発明を実施するための形態について図面を参照し、具体的に説明する。
図面において、Ｐは本願発明に係る表示装置であり、１は設置面Ｇに立設された円筒状の支柱、２は支柱１の上部に取付けられ、周囲を照らすための灯部２１を備えた照明部、３は支柱１の上部に設けられたソーラーパネル、４はソーラーパネル３により発生した電力を蓄電して前記照明部２に電力を供給する蓄電池、５は前記ソーラーパネル３の背面側に配置され、ソーラーパネル３を支持する支持部、６は支柱の上部に取付けられた表示板であり、表示装置Ｐは、照明部１、支柱２、ソーラーパネル３、蓄電池４、支持部５及び表示板６から主に構成されている。
【００２０】
前記照明部２は、表示板６より下部の位置で支柱１の上部側面から突設された取付部２２の先端に、正面視で前後にやや傾斜されるとともに、その下面に灯部２１が設けられた台形箱状の筐体２３が取付けられて形成されている。
【００２１】
前記ソーラーパネル３は、その背面側に配置された縦長の長方形状の平板からなる支持部５に支持され、該支持部５の背面側には縦長の箱状の蓄電池収納部５１が取付けられてなり、該蓄電池収納部５１の中に前記蓄電池４が複数収納されている。さらに、前記支持部５の下部に相当する前記蓄電池収納部５１の背面から下方に向けて円筒状の脚部５２が垂下され、該脚部５２の下端には円板状の固定板部５３が取付けられている。そして、前記固定板部５３には固定板部側固定孔５４が形成され、該固定板部側固定孔５４は同心円状に形成された複数の円弧状の長孔に形成されてなり、本実施形態においては、前記固定板部側固定孔５４は、８分の１円弧状の長孔の両端部を後記する固定具であるボルト７の雄ねじ部の半径分だけ拡げた長さの長孔、又はそれ以上の長さの長孔が９０度の間隔をあけて同心円状に形成されている。そして、前記固定板部側固定孔５４の各間には、前記脚部５２の側面から固定板部５３の上面にわたり、三角形状の縦リブ５５が９０度の間隔をあけて４個取付けられている。前記脚部５２に対する固定板部５３の取付けは、固定板部５３の中央部に設けられた貫通孔５９に前記脚部５２の下端５２１が挿入され、前記貫通孔５９の内周縁と前記下端５２１の外周とが溶接されて取付けられている。なお、前記脚部５２の下端５２１は、固定板部５３の下面５３１と面一とはせずに、前記下面５３１より上方に位置するようにして、脚部５２が後記する支柱本体１２の上端の受け部１５に嵌め合わされた際、その下端５２１が受け板部１４の上面に当接しないように取付けられている。また本実施形態においては、前記蓄電池４は鉛蓄電池であり、必要な蓄電量に応じて２〜４個の蓄電池４が蓄電池収納部５１に収納されている。
【００２２】
前記ソーラーパネル３と支持部５の外形はほぼ同じ大きさであり、また前記ソーラーパネル３は、一般には太陽電池モジュール３１と、該太陽電池モジュール３１の外周部に沿って取付けられる枠体３２とを備えてなり、前記支持部５の外周において、支持部５の背面側から枠体３２にボルトが複数貫通されて、前記ソーラーパネル３と支持部５とが固定されている。さらに、前記蓄電池収納部５１は支持部５よりも小さく形成され、前記支持部５の中央付近において、支持部５の前面側から蓄電池収納部５１にボルトが複数貫通されて、前記支持部５と蓄電池収納部５１とが固定されている。そして、円筒状の前記脚部５２の上端には縦長の長方形状の平板部５６が溶接されて取付けられており、該平板部５６と前記蓄電池収納部５１の背面とがボルトにより固定されている。また、前記平板部５６の背面と前記脚部５２の側面にわたり、三角形状の補強板材５７が取付けられている。
【００２３】
また、前記ソーラーパネル３が太陽光を受光しやすいように、太陽電池モジュール３１の受光面である上面が傾斜されて、ソーラーパネル３が支柱１に支持されている。したがって、前記支持部５及び蓄電池収納部５１も傾斜されて支柱１に支持されて、かつ蓄電池収納部５１はソーラーパネル３及び支持部５よりも小さく形成されているので、前記ソーラーパネル３及び支持部５に覆われて、蓄電池収納部５１に太陽光ができる限り当たらないようになされており、蓄電池収納部５１内の温度上昇を少しでも抑制し、蓄電池収納部５１に収納されている蓄電池４への温度上昇による悪影響を抑えるようになされている。また、縦長の箱状の前記蓄電池収納部５１の一方の側面板５８は着脱可能に複数箇所でねじ止めされて固定されており、蓄電池４の交換等の作業を行う際等に、前記側面板５８が着脱できるようになされている。
【００２４】
支柱１は設置面Ｇに当接するベースプレート１１の上面に縦長の円筒管からなる支柱本体１２が立設され、前記ベースプレート１１上面と支柱本体１２下端側面とにわたり、略三角形状の補強リブ板１３が９０度の間隔をあけて４個取付けられ、前記支柱本体１２の上端には円板状の受け板部１４が取付けられ、さらに該受け板部１４には、その中央部に貫通して設けられた取付孔１９に下部円筒状の受け部１５の下部が挿入されて立設固定されている。そして、該受け部１５は前記支持部５の脚部５２及び前記表示板６の基部に形成された筒状の取付部６１より小径となされてなり、前記脚部５２及び取付部６１が前記受け部１５に嵌め合わされて、前記脚部５２及び取付部６１が前記受け部１５に対して回動可能となされている。
【００２５】
また前記受け板部１４には、前記支持部５の固定板部５３に形成されている固定板部側固定孔５４に対応した位置に受け板部側固定孔１６が形成されており、支柱本体１２の上端の受け部１５に、まず表示板６の取付部６１が嵌め合わされ、その上から支持部５の脚部５２が嵌め合わされた後、前記固定板部側固定孔５４と受け板部側固定孔１６とに固定具であるボルト７を挿通しナットＮを螺着して固定することにより、ボルト７を介して、前記固定板部５３と受け板部１４とが固定されるとともに、前記受け板部１４と固定板部５３の間に前記取付部６１が挟着され、固定されるようになされている。
【００２６】
前記表示板６は、基部に形成された筒状の取付部６１が形成された横長の第一の枠部６２と、取付部６１が形成されていない横長の第二の枠部６３との間に、表示板本体６４の上部が挟持されて形成されたものである。更に詳細に述べると、前記取付部６１は、短円筒部６１１と、該短円筒部６１１の上端縁から短円筒部６１１の中心に向けて鍔部６１２が形成されている。つまり前記取付部６１は、茶筒の蓋の如き形状から、蓋の天板を所定の直径の円板状に切り抜いた如き形状となされている。従って取付部６１には中空部６１３が備えられている。なお、前記固定板部５３と受け板部１４とが表示板６の前記取付部６１を間にして、前記受け板部側固定孔１６と固定板部側固定孔５４にボルト７を連通して前記受け板部１４と固定板部５３の間に前記取付部６１を挟着し固定する際、前記鍔部６１２の内周面にボルト７の雄ねじ部側面が当接されガイドのようになされているので、表示板６がズレ落ちることはない。
なお前記表示板本体６４には、例えば津波が来た際に避難する避難場所への誘導案内が、文字や記号や図柄などを用いて表示されており、災害が発生した時に、近隣の住民や別の場所から避難してきた人々が、前記表示板を見ることにより、避難場所にたどり着くことができるようになされている。
【００２７】
そして前記短円筒部６１１の外側面から縦板部６２１が突設されるとともに、該縦板部６２１の上端縁から水平板部６２２が延設され、横長の第一の枠部６２が形成されている。なお、前記鍔部６１２の上面と水平板部６２２の上面とは面一となされている。また横長の第二の枠部６３は、第一の枠部６２から取付部６１を除くとともに、縦板部６３１の上端縁から延設されている水平板部６３２の延設されている方向が、第一の枠部６２とは逆向きとなされて形成されている。そして、前記第一の枠部６２の水平板部６２２の上面に第二の枠部６３の水平板部６３２の下面が重ね合わされ、前記第一の枠部６２の縦板部６２１の内面と第二の枠部６３の縦板部６３１の内面との間に、表示板本体６４の上部が挟持されて、水平方向及び垂直方向にねじ止めされて、表示板６が形成されている。
【００２８】
また本実施形態において、前記表示板本体６４は、第一の枠部６２と第二の枠部６３との間に挟持される上部の端面に、下方に向けて発光ダイオードが並列され、表示板本体６４の板材としては、導光板とアルミニウム板を重ね合わせ、その表裏を乳半アクリル板で挟んで形成し、所謂、導光板方式の自発光タイプの表示板となされており、ソーラーパネル３により発生し蓄電池４に蓄電された電力の供給を受けることで夜間に発光して、表示板６に表示されている表示内容６５、例えば「津波避難場所」と言った文字や、「→」と言った記号や、「津波が来て、人が高台に避難している」と言った図柄が、夜間であっても視認できるようになされている。なお本発明においては、本実施形態のように、表示板６が自発光タイプのもののみに限定されるものではない。
【００２９】
なお前記支柱本体１２上部の背面側には、開口部１７が形成されており、それを塞ぐように蓋体１８が着脱可能にその四隅をねじ止めされて取付けられている。このような構造にすることにより、前記固定板部側固定孔５４と受け板部側固定孔１６とにボルト７を挿通しナットＮを螺着する際等に、前記蓋体１８を取外し、開口部１７から支柱１内に作業者が手を入れて、作業できるようになされている。
【００３０】
また、支柱１の受け板部１４に設けられた前記受け板部側固定孔１６は、前記固定板部側固定孔５４に連通可能な複数の円弧状の長孔に形成されてなり、本実施形態においては、前記固定板部側固定孔５４と同様に、８分の１円弧状の長孔の両端部を前記ボルト７の雄ねじ部の半径分だけ拡げた長さの長孔、又はそれ以上の長さの長孔４個が９０度の間隔をあけて同心円状に形成されている。そして、上述のように、前記受け板部１４と固定板部５３の間に前記取付部６１が配置され、前記固定板部側固定孔５４と受け板部側固定孔１６とにそれぞれ４本のボルト７を挿通しナットＮを螺着して固定することにより、前記固定板部５３と受け板部１４とが固定されるとともに、前記受け板部１４と固定板部５３の間に前記取付部６１が挟着されるようになされている。
【００３１】
このように、前記固定板部側固定孔５４と受け板部側固定孔１６とに、８分の１円弧状の長孔の両端部を前記ボルト７の雄ねじ部の半径分だけ拡げた長さの長孔、又はそれ以上の長さの長孔４個が９０度の間隔をあけて同心円状に形成されているので、表示装置Ｐを設置する場所において、ソーラーパネル３の向きを太陽の方向に合わせて３６０度自在に調整することができ、かつ支柱１の上部に重量物である鉛蓄電池を収納した蓄電池収納部５１が配置された構造であっても、蓄電池収納部５１と支柱１とを強固に固定することができる。また表示板６についても、前記取付部６１の鍔部６１２の内周面に前記ボルト７の雄ねじ部側面が当接されガイドのようになされているので、表示板６の表示内容６５が見えやすい方向に合わせて３６０度自在に調整することができる。
【００３２】
また以上に述べた構造とすることにより、太陽電池モジュール３１と蓄電池収納部５１内に収納されている蓄電池４と表示板６の表示板本体６１と照明部２の灯部２１とを繋ぐリード線は、ソーラーパネル３の裏面側から蓄電池収納部５１を通されて、中空構造となされている支持部５の脚部５１と支柱１上部の受け部１５と取付部６１の中空部６１３の中を通され、更に照明部２の取付部２２及び筐体２３の中を通されて、太陽電池モジュール３１と蓄電池４と表示板本体６１と灯部２１とが結線されている。
【００３３】
なお本実施形態においては、前記固定板部側固定孔５４及び受け板部側固定孔１６はともに、８分の１円弧状の長孔の両端部を前記ボルト７の雄ねじ部の半径分だけ拡げた長さの長孔、又はそれ以上の長さの長孔４個が９０度の間隔をあけて同心円状に形成されているが、特にその個数が４個に限定されるものではなく、また固定板部側固定孔５４及び受け板部側固定孔１６とが同じ個数で形成される必要もなく、要は、表示装置Ｐを設置する場所において、ソーラーパネル３の向きを太陽の方向に合わせて調整することができ、そのためには好ましくは３６０度自在に調整することができ、かつ蓄電池収納部５１と支柱１とを強固に固定することができるように、適宜設計なされればよい。
【００３４】
また本実施形態において、表示板６には１個の表示板本体６４が備えられているが、これに限定されるものではなく、２個以上の表示板本体６４を備えるようにしてもよい。
【００３５】
また支柱１、支持部５は、一般には強度的に安定しておりコストの安い鉄鋼材料を適宜加工したものが好適に用いられるが、ステンレス合金、アルミニウム合金などの他の金属材料を用いてもよい。また耐食性や耐候性を高めるために金属めっきや塗装を施してもよい。
【符号の説明】
【００３６】
１      支柱
１１    ベースプレート
１２    支柱本体
１３    補強リブ板
１４    受け板部
１５    受け部
１６    受け板部側固定孔
１７    開口部
１８    蓋体
１９    取付孔
２      照明部
２１    灯部
２２    取付部
２３    筐体
３      ソーラーパネル
３１    太陽電池モジュール
３２    枠体
４      蓄電池
５      支持部
５１    蓄電池収納部
５２    脚部
５２１  下端
５３    固定板部
５３１  下面
５４    固定板部側固定孔
５５    縦リブ
５６    平板部
５７    補強板材
５８    側面板
５９    貫通孔
６      表示板
６１    取付部
６１１  短円筒部
６１２  鍔部
６１３  中空部
６２    第一の枠部
６２１  縦板部
６２２  水平板部
６３    第二の枠部
６３１  縦板部
６３２  水平板部
６４    表示体本体
６５    表示内容
７      ボルト
Ｐ      表示装置
Ｇ      設置面
Ｎ      ナット
【図１】
2015022121.tif 000003
【図２】
2015022121.tif 000004
【図３】
2015022121.tif 000005
【図４】
2015022121.tif 000006
【図５】
2015022121.tif 000007
【図６】
2015022121.tif 000008